(57)【要約】  本発明は、積み重ね可能な型枠テーブルと、少なくとも１つの積み重ね可能な支柱体と、積み重ね可能な高さ調節機構とを備えた型枠支持体に関する。積み重ね可能なコンポーネントは、スペースを節約し、本発明の型枠支持体の組み立て及び分解の効率を改善することができる。【選択図】図２
2020509271.tif 000002
【特許請求の範囲】
【請求項１】
開口部を画定するように配置された複数のトラスフレームを備える支柱体であって、
前記開口部を介して別の支柱体を横方向に受け入れるように調整されていることを特徴とする支柱体。
【請求項２】
請求項１に記載の支柱体において、
前記複数のトラスフレームは、
第１のトラスフレームが第２のトラスフレームに対向するように配置された、前記第１のトラスフレーム及び前記第２のトラスフレームと、
前記第１及び第２のトラスフレームの間に配置され、これらを接続する第３のトラスフレームとを備え、
前記開口部は、前記第３のトラスフレームに対向するように配置されていることを特徴とする支柱体。
【請求項３】
請求項２に記載の支柱体において、
前記第３のトラスフレームは、前記第１及び第２のトラスフレームをそれらの一方の端部を介して接続するように適合されていることを特徴とする支柱体。
【請求項４】
請求項２又は請求項３に記載の支柱体において、
前記第１及び第２のトラスフレームは、前記第３のトラスフレームに向かってテーパ状になっていることを特徴とする支柱体。
【請求項５】
請求項４に記載の支柱体において、
前記第１及び第２のトラスフレームの各々は、２つの垂直支持体と、前記２つの垂直支持体を接続するように適合された少なくとも１つのブレースとを備えていることを特徴とする支柱体。
【請求項６】
請求項５に記載の支柱体において、
前記少なくとも１つのブレースは、一方の垂直支持体の外側部分に接続するように適合されると共に、他方の垂直支持体の内側部分に接続するように適合されていることを特徴とする支柱体。
【請求項７】
請求項２乃至請求項６のいずれかに記載の支柱体において、
前記第１、第２及び第３のトラスフレームをそれらのベース部を介して接続するように適合された第４のトラスフレームを更に備えていることを特徴とする支柱体。
【請求項８】
請求項７に記載の支柱体において、
前記第４のトラスフレームは、前記第３のトラスフレームから前記開口部に向かって延びる一対のブレースを備えていることを特徴とする支柱体。
【請求項９】
請求項８に記載の支柱体において、
前記一対のブレースは、前記支柱体を持ち上げる持ち上げ手段を、第１の方向を通じて横方向に受け入れるように適合された第１の持ち上げ係合手段を備えていることを特徴とする支柱体。
【請求項１０】
請求項９に記載の支柱体において、
前記一対のブレースは、前記支柱体を持ち上げる持ち上げ手段を、第２の方向を通じて横方向に受け入れるように適合された第２の持ち上げ係合手段を備えていることを特徴とする支柱体。
【請求項１１】
請求項９又は請求項１０に記載の支柱体において、
前記第１及び／又は第２の持ち上げ係合手段は、前記一対のブレースと一体であることを特徴とする支柱体。
【請求項１２】
請求項１乃至請求項１１のいずれかに記載の支柱体において、
高さ調節機構を更に備えていることを特徴とする支柱体。
【請求項１３】
請求項１２に記載の支柱体において、
前記高さ調節機構は、前記支柱のベース部にあり、
前記高さ調節機構は、高さ調節可能な着床脚を備えていることを特徴とする支柱体。
【請求項１４】
請求項１２又は請求項１３に記載の支柱体において、
前記高さ調節機構から取り外し可能であることを特徴とする支柱体。
【請求項１５】
請求項１乃至請求項１４のいずれかに記載の支柱体において、
前記支柱体は、運用中に前記開口部を閉じるように適合された第５のトラスフレームを更に備えていることを特徴とする支柱体。
【請求項１６】
請求項１乃至請求項１５のいずれかに記載の支柱体において、
前記支柱体の上部は、型枠テーブルに接続するように適合されていることを特徴とする支柱体。
【請求項１７】
請求項１乃至請求項１６のいずれかに記載の支柱体を積み上げて保管する方法であって、
（ａ）支柱体に持ち上げ手段を係合させること、
（ｂ）積み重ねて保管するために、支柱体を横方向に移動させて別の支柱体にその開口部を介して入れることを含むことを特徴とする方法。
【請求項１８】
請求項１乃至請求項１６のいずれかに記載の支柱体を少なくとも１つ備えた型枠支持体を組み立てる方法であって、
（ａ）支柱体に持ち上げ手段を係合させること、
（ｂ）前記支柱体をそのベース部を介して持ち上げて別の支柱体のトップ部に係合させることを含むことを特徴とする方法。
【請求項１９】
高さ調節着床脚に接続するように適合されたトラスフレームを備えた積み重ね可能な支柱の高さ調節機構であって、
前記トラスフレームは、当該機構を持ち上げて別の機構の上に積み重ねるための持ち上げ手段に係合するように構成されていることを特徴とする高さ調節機構。
【請求項２０】
請求項１９に記載の積み重ね可能な支柱の高さ調節機構において、
前記着床脚は、前記トラスフレームの支持体から伸長し及び該支持体内に収縮するように適合されていることを特徴とする高さ調節機構。
【請求項２１】
請求項１９又は請求項２０に記載の積み重ね可能な支柱の高さ調節機構において、
前記高さ調節可能な着床脚を作動させて高さを調節するアクチュエータを備えていることを特徴とする高さ調節機構。
【請求項２２】
プラットホームと、
別の型枠テーブルのプラットホームの上面に配置された支持体係合部に嵌合するように適合された少なくとも１つの支持体とを備えていることを特徴とする積み重ね可能な型枠テーブル。
【請求項２３】
請求項２２に記載の積み重ね可能な型枠テーブルにおいて、
前記プラットホームの底面に接続するように適合されたトラスフレームを更に備えていることを特徴とする型枠テーブル。
【請求項２４】
請求項２３に記載の積み重ね可能な型枠テーブルにおいて、
前記第４のトラスフレームは、前記プラットホームの長さに沿って延びる一対のブレースを備えていることを特徴とする型枠テーブル。
【請求項２５】
請求項２４に記載の積み重ね可能な型枠テーブルにおいて、
前記一対のブレースは、前記型枠テーブルを持ち上げる持ち上げ手段を、第１の方向を通じて横方向に受け入れるように適合された第１の持ち上げ係合手段を備えていることを特徴とする型枠テーブル。
【請求項２６】
請求項２５に記載の積み重ね可能な型枠テーブルにおいて、
前記一対のブレースは、前記型枠テーブルを持ち上げる持ち上げ手段を、第２の方向を通じて横方向に受け入れるように適合された第２の持ち上げ係合手段を備えていることを特徴とする型枠テーブル。
【請求項２７】
請求項２５又は請求項２６に記載の積み重ね可能な型枠テーブルにおいて、
前記第１及び／又は第２の持ち上げ係合手段は、前記一対のブレースと一体であることを特徴とする型枠テーブル。
【請求項２８】
請求項１乃至請求項１６のいずれかに記載の支柱体と、
請求項１９乃至請求項２１のいずれかに記載の高さ調節機構と、
請求項２２乃至請求項２７のいずれかいに記載の型枠テーブルとを備えていることを特徴とする型枠支持体。
【発明の詳細な説明】
【技術分野】
【０００１】
本発明は、建築及び／又は建設業界で使用される型枠支持体に関し、特に、非運用時に積み重ねて保管することが可能な型枠支持体に関する。
【背景技術】
【０００２】
本発明の背景についての以下の説明は、本発明の理解を容易にすることのみを意図している。この説明は、言及された内容のいずれも、本発明の優先日に、いずれの管轄区域においても当業者の一般技術常識として公開、公知、またはその一部であったことを認識または認容するものではない。
【０００３】
型枠支持体は、建築及び建設業界で使用される一時的な支持構造である。型枠支持体は、典型的には、人員や建設目的の機材、例えば天井のコンクリートなどを運ぶために支柱体（shore）及び型枠テーブルを含む。型枠支持体のシステムの解体は、多大な労力が必要であり、特に、型枠支持体の様々なコンポーネントが十分に固定されずに緩い場合、コンポーネントが外れて高所から落下し、人員を負傷させるかもしれず、安全上の脅威をもたらす可能性がある。型枠支持体を保管目的で様々なコンポーネント、例えば、支柱体、型枠テーブル、及びサブコンポーネント、例えば、支持トラス、ブレーシング、ナット、ボルトに分解する際に、かなりの工数も費やされる。更に、型枠支持体は保管のために様々なコンポーネントに分解できるが、その保管には依然としてスペースを消費し、また、特定のコンポーネント／サブコンポーネントを紛失する可能性が常にある。分解された型枠支持体の組み立てにはかなりの時間と人員が必要であり、建設及び建築作業の開始のために型枠支持体を配備する際の効率が低下する。
【０００４】
米国特許第６，１６１，３５９号は、型枠支持体に使用できる折り畳み式の支柱体を開示しており、この支柱体は保管のためにコンパクトな状態に折り畳むことができる。しかしながら、米国特許第６，１６１，３５９号の支柱体は、相互に作用して支柱体の折り畳みと展開を可能にする複雑な可動コンポーネントを備えている。また、支柱体が使用時に崩壊して重大な被害が引き起こされないように、展開時には、これらの様々なコンポーネントを適切に固定する必要がある。更に、支柱体の展開には、全ての建設及び建築の現場には存在しない可能性があるクレーンの使用が必要である。従って、米国特許第６，１６１，３５９号の支柱体の展開及び配備にはかなりの時間が必要であり、支柱体が使用時に崩壊しかねないリスクもある。
【０００５】
このため、上記の問題点を改善するためのより良い解決策が必要である。特に、保管及び配備が容易で、保管時に必要なスペースが少なく、使用中の崩壊のリスクが低い、改善された型枠支持体及びコンポーネントが必要である。
【発明の概要】
【０００６】
本発明は、保管及び配備が容易で時間節約することができ、保管中に必要なスペースが少なくてコスト節約することができ、使用中の崩壊のリスクが低い型枠支持体及びコンポーネントを提供することで、従来技術の問題点に対処及び／又は改善しようとするものである。
【０００７】
本発明の一側面によれば、開口部を画定するよう配置された複数のトラスフレームを備える支柱体であって、開口部を介して別の支柱体を横方向に受け入れるように調整されていることを特徴とする支柱体である。
【０００８】
本発明の別の側面によれば、請求項１〜１６のいずれかに記載の支柱体を積み重ねて保管する方法であって、（ａ）支柱体に持ち上げ手段を係合させること、（ｂ）積み重ねて保管するために、支柱体を横方向に移動させて別の支柱体にその開口部を介して入れることを含むことを特徴とする方法である。
【０００９】
本発明の別の側面によれば、請求項１〜１６のいずれかに記載の支柱体を少なくとも１つ備えた型枠支持体を組み立てる方法であって、（ａ）支柱体に持ち上げ手段を係合させること、（ｂ）支柱体をそのベース部を介して持ち上げて別の支柱体のトップ部に係合させることを含むことを特徴とする方法である。
【００１０】
本発明の別の側面によれば、高さ調節着床脚に接続するように適合されたトラスフレームを備えた積み重ね可能な支柱高さ調節機構であって、トラスフレームは、当該機構を持ち上げて別の機構の上に積み重ねるための持ち上げ手段に係合するように構成されていることを特徴とする積み重ね可能な支柱高さ調節機構である。
【００１１】
本発明の別の側面によれば、プラットホームと、別の型枠テーブルのプラットホームの上面に配置された支持体係合部に嵌合するように適合された少なくとも１つの支持体とを備えていることを特徴とする積み重ね可能な型枠テーブルである。
【００１２】
本発明の別の側面によれば、本発明の一側面に係る支柱体と、本発明の一側面に係る高さ調節機構と、本発明の一側面に係る型枠テーブルとを備えた型枠支持体である。
【００１３】
本発明の他の側面は、添付の図面と合わせて本発明の特定の実施形態の以下の説明を検討すると、当業者には明らかであろう。
【図面の簡単な説明】
【００１４】
本発明について、単なる一例として添付の図面を参照して説明するが、これらの図面は例示のみを目的としているので、縮尺どおりには描かれていない。
【図１】図１は、本発明の一実施形態に係る型枠支持体を組み立てた様子を示している。
【図２】図２は、本発明の一実施形態に係る型枠支持体を分解した様子を示している。
【図３】図３は、本発明の一実施形態に係る型枠テーブルを積み重ねた様子を示している。
【図４】図４は、本発明の一実施形態に係る支柱体を積み重ねた様子を示している。
【図５】図５は、本発明の一実施形態に係る高さ調節機構を積み重ねた様子を示している。
【発明を実施するための形態】
【００１５】
以下、本発明の特定の実施形態について添付の図面を参照して説明する。本明細書で使用される専門用語は、特定の実施形態のみを説明するためのものであり、本発明の範囲を限定することを意図するものではない。本明細書で使用される選択された用語の他の定義は、本発明の詳細な説明内にあり、説明全体に適用され得る。また、他に定義されない限り、本明細書で使用される全ての技術用語及び科学用語は、本発明が属する技術分野の当業者によって一般に理解されるものと同じ意味を有する。可能な場合には、明確性及び一貫性のために各図を通して同一の参照番号が使用される
【００１６】
本明細書を通して、文脈上他に要求されない限り、「comprise（含む、備える、構成する等）」の用語や、「comprises」や「comprising」などの変形は、記載された完全体や完全体のグループを含むが、任意の他の完全体や完全体のグループを排除しないことを意味すると理解される。
【００１７】
また、本明細書を通して、文脈上他に要求されない限り、「include（含む、有する等）」の用語や、「includes」や「including」などの変形は、記載された完全体や完全体のグループを含むが、任意の他の完全体や完全体のグループを排除しないことを意味すると理解される。
【００１８】
本明細書を通して使用されるように、「トップ（top）」及び「ボトム（bottom）」の各用語は、本発明の支柱体が設置、使用、及び／又は保管される地表面を基準にするものとする。このため、支柱体の「トップ」部は、支柱体の地表面から最も遠い部分である。
【００１９】
本明細書を通して使用されるように、「対向する（opposite）」の用語は、略対向することを含み、平行なオブジェクトに限定されず、つまり、互いに平行ではなく角度があるオブジェクトであっても、互いに対向すると見做され得る。
【００２０】
本明細書を通して使用されるように、持ち上げ手段の用語は、本明細書を通して使用される「フォークリフト」、「リフトトラック」などの機構や機械が含まれ、任意のタイプのフォークリフトトラックや、当該技術分野で知られている持ち上げ用途に適した他の同様な機械を指す。
【００２１】
本発明の一側面によれば、図１は、型枠テーブル１０、支柱体２０、高さ調節機構３０（３つの主要コンポーネント）を備える型枠支持体１を提供する。型枠支持体１は、建築及び建設作業のために要求される範囲を提供するように、型枠支持体システム内の他の型枠支持体と協働及び／又は結合してもよい。複数の型枠支持体１を結合すると、使用時の安定性が向上する。複数の型枠支持体１の結合は、作業が行われるエリアの形状に従ったものであってもよい。型枠支持体１の組み立て、分解、移動は、持ち上げ手段、好ましくは、フォークリフトにより実施することができる。
【００２２】
型枠支持体１の分解及び組み立ては、３つの主要コンポーネントの取り扱いにより簡単で時間効率が良くなる。更に、主要コンポーネントのサブコンポーネント（後述する）を取り付けて固定することで、型枠支持体１の組み立て、分解、運用が安全である。更に、各主要コンポーネントは、保管時に互いに積み重ねることができるため、保管スペースと型枠支持体１の組み立てに必要な時間を節約することができる。
【００２３】
図２を参照すると、型枠テーブル１０は、プラットホーム５０と、テーブル支持体１１と、テーブル持ち上げ係合手段１２とを備え；支柱体２０は、支柱支持体２１と、支柱持ち上げ係合手段２２と、支柱中間ブレース２３とを備え；高さ調節機構３０は、１つ以上の調節支持体３１と、調節持ち上げ係合手段３２と、着床脚３３とを備える。支持体１１、２１、３１は、垂直又は略垂直であり、型枠支持体１の組み立てにおいて互いに協働して嵌合するような形状及びサイズである。様々な実施形態では、組み立てられた型枠支持体１は、より多くの支柱体２０を含むことができ、例えば、型枠テーブル１０と高さ調節機構３０の間に２つの支柱体２０があり、支柱体２０は、支柱支持体２１を介して互いに係合する。支持体１１、２１、３１の係合部は、当該技術分野で知られている解除可能な係合手段を備え、例えば、テーブル支持体１１のベース部は、支柱支持体２１のトップ部のメス部に受け入れられて嵌合するように適合されたオス部を備え、この嵌合は、２つの支持体１１、２１の間の接続部に挿入及び掛け合わされる取り外し可能なクロスピンで固定することができる。他の解除可能な係合手段には、ナット、ボルト、ネジ、ラッチが含まれるが、これらに限定されない。
【００２４】
型枠テーブル
プラットホーム５０は、用途に応じた任意の形状及びサイズとすることができる。好ましくは、プラットホーム５０は多角形の形状を有し、より好ましくは長方形又は正方形の形状を有する。テーブル支持体１１は、プラットホーム５０の底面に取り付けられ、テーブル支持体１１の数は、用途及び要求に応じており、支柱体２０と高さ調節機構３０の支持体２１、３１の数に対応する。好ましくは、４つのテーブル支持体１１が存在する。テーブル支持体１１は、型枠テーブル１０の高さに関する要求及び用途に応じた任意の長さにすることができる。
【００２５】
プラットホーム５０は、人員及び設備が支持される作業エリアを画定する上面５０ａを備える。テーブル持ち上げ係合手段１２は、テーブル支持体１１の間に配置され、プラットホーム５０の底面に取り付けられる。様々な実施形態では、テーブル持ち上げ係合手段１２は、プラットホーム５０の底面に取り付けられた別個の支持ブレースに取り付けられ、支持ブレースは、型枠テーブル１０及び／又はプラットホーム５０に更なる剛性及び安定性を提供する。
【００２６】
テーブル持ち上げ係合手段１２は、フォークリフトの１つ以上のフォークなどの係合手段の一部にそれが係合するように成形及び適合されている。図示のように、テーブル持ち上げ係合手段１２は、型枠テーブル１０の長さに実質的に沿って延びる一対の長手方向中空ブレース１２ａと、長手方向中空ブレース１２ａの間に、型枠テーブル１０の幅に実質的に沿って延びる一対の交差中空ブレース１２ｂとを備える。長手方向及び交差中空ブレース１２ａ、１２ｂは、好ましくは互いに対して横方向に配列される。様々な実施形態では、長手方向及び交差中空ブレース１２ａ、１２ｂは別々のコンポーネントであり、例えば、長手方向中空ブレース１２ａは交差中空ブレース１２ｂの上に配置されてもよい。
【００２７】
ブレース１２ａ、１２ｂは、開口部１２ｃを介して、持ち上げ手段、例えばフォークリフトのフォークを受け入れるサイズ及び形状である。長手方向及び交差中空ブレース１２ａ、１２ｂの内部中空部は、相互接続されてもよい。長手方向及び交差中空ブレース１２ａ、１２ｂは、許容される２つの方向、例えば、図３に示すように、長手方向中空ブレース１２ａを介した横方向Ａと、交差中空ブレース１２ｂを介した横方向Ａ’で、持ち上げ手段により型枠テーブル１０の係合及び持ち上げを可能にする。
【００２８】
テーブル支持体１１及びテーブル持ち上げ係合手段１２は、好ましくは、例えば溶接、ボルト締め、リベット打ちにより、プラットホーム５０に固定される。これにより、型枠支持体１の組み立て、分解、運用の間に外れかねない緩いコンポーネントをなくせるので、型枠テーブル１０の取り扱いの安全性が向上する。他の実施形態では、テーブル支持体１１とテーブル持ち上げ係合手段１２は、プラットホーム５０と一体的に形成されてもよい。
【００２９】
保管に関して図３に示すように、型枠テーブル１０は、スペースを節約するように互いの上に積み重ねられるようになっている。各型枠テーブル１０は、プラットホーム５０の上面５０ａに形成された支持体係合部１３を備え、支持体係合部１３は、各テーブル支持体１１と一致している。積み重ねたとき、積み重ねた型枠テーブル１０が互いの上にしっかりと安全に積み重ねられるように、ある型枠テーブル１０ａの各テーブル支持体１１は、別の型枠テーブル１０ｂの支持体係合部１３に収まる。この配置により、多数の型枠テーブル１０を互いの上に積み重ねることができる。
【００３０】
支柱体
支柱支持体２１は垂直又は略垂直であり、支柱中間ブレース２３は水平又は略水平である。支柱中間ブレース２３は、支柱支持体２１を互いに接続する。好ましくは、中間ブレース２３は、支柱支持体２１の略中央部で支柱支持体２１に接合される。しかしながら、中間ブレース２３は支柱支持体２１に端部のいずれか又はその近傍で接合できることが理解されるであろう。
【００３１】
支柱支持体２１は、支柱体２０がプラットホーム５０の形状に対応する略直方体の形状を有するように配置される。様々な実施形態では、支柱体２０は、他の形状、例えば六角形の形状を有することができる。支柱支持体２１の数は、支柱体２０の形状に応じる。好ましくは、４つの支柱支持体２１がある。支柱支持体２１は、支柱体２０の高さに関する要求及び用途に応じた任意の長さにすることができる。
【００３２】
図２に示すように、中間ブレース２３は、第１のトラスフレーム２０ｂと、第２のトラスフレーム２０ｃと、第３のトラスフレーム２０ｄとを画定するように支柱支持体２１に結合し、第１のトラスフレーム２０ｂは、第２のトラスフレーム２０ｃに対向するように配置され、第３のトラスフレーム２０ｄは、好ましくはそれら端部のいずれかを介して第１及び第２のトラスフレーム２０ｂ、２０ｃを接続する。トラスフレーム２０ｂ、２０ｃ、２０ｄは、支柱支持体２１を共有する。第３のトラスフレーム２０ｄの向かい側には、中間ブレース２３がない開口部２０ａがある。図４に示すように、開口部２０ａは、支柱体２０の保管の際に開口部として残り、支柱体２０がこの開口部を介して別の支柱体２０を受け入れることを可能にする。開口部２０ａは、取り外し可能な中間ブレース（不図示）で閉じることができ、支柱体２０の運用中に第５のトラスフレームを画定する。この取り外し可能な中間ブレースは、使用時に支柱体２０の支持及び安定性を加える。
【００３３】
第１及び第２のトラスフレーム２０ｂ、２０ｃは、開口部２０ａから第３のトラスフレーム２０ｄに向かってテーパ状に（徐々に狭くなるように）角度が付けられている。このようなテーパリングは、開口部２０ａを画定する支柱支持体２１と比べ、第３のトラスフレーム２０ｄを画定する支柱支持体２１を互いに接近させて配置することで達成することができ、第１及び第２のトラスフレーム２０ｂ、２０ｃの中間ブレース２３の一方の端部は、第３のトラスフレーム２０ｄの支柱支持体３１の外側部分に接続され、他方の端部は、開口部２０ａで支柱支持体２１の内側部分に接続される。図２を参照すると、距離Ｚ’は距離Ｚより小さい。このようなテーパリングは、保管中に開口部２０ａを介してある支柱体２０を別の支柱体２０の内部空間に配置するためのガイドを提供する。
【００３４】
支柱持ち上げ係合手段２２は、図２に示すように、支柱体２０のベース部（つまり、第１、第２及び第３のトラスフレーム２０ｂ、２０ｃ、２０ｄのベース部）又はベース部に近い領域などの部分に配置され、それら端部のいずれかを介して支柱支持体２１を接続する。支柱持ち上げ係合手段２２は、持ち上げ手段の一部が係合するように成形及び適合されている。幾つかの実施形態では、支柱持ち上げ係合手段２２は、テーブル持ち上げ係合手段１２と同様であり、水平又は略水平である。支柱持ち上げ係合手段２２はまた、支柱体２０の長さに実質的に沿って延びる一対の長手方向中空ブレース２２ａと、長手方向中空ブレース２２ａの間に、支柱体２０の幅に実質的に沿って延びる一対の交差中空ブレース２２ｂとを備える。長手方向及び交差中空ブレース２２ａ、２２ｂは、好ましくは互いに対して横方向に配列される。様々な実施形態では、長手方向及び交差中空ブレース２２ａ、２２ｂは別々のコンポーネントであり、例えば、長手方向中空ブレース２２ａは交差中空ブレース２２ｂの上に配置されてもよい。様々な実施形態では、支柱持ち上げ係合手段２２は、支柱支持体２１を互いに接続する別個の支持ブレース（例えば、第４のトラスフレーム）に取り付けられ、このような支持ブレースは、支柱２０体に更なる剛性及び安定性を提供する。
【００３５】
幾つかの実施形態では、支柱持ち上げ係合手段２２は、支持体２１の長さに沿って調節可能である。
【００３６】
支柱持ち上げ係合手段２２のブレースは、開口部２２ｃを介して、持ち上げ手段、例えばフォークリフトのフォークを受け入れるサイズ及び形状である。長手方向及び交差中空ブレース２２ａ、２２ｂの内部中空部は、相互接続されてもよい。長手方向及び交差中空ブレース２２ａ、２２ｂは、少なくとも２つの別々の方向、例えば、図４に示すように、長手方向中空ブレース２２ａを介した横方向Ｂと、交差中空ブレース２２ｂを介した横方向Ｂ’で、持ち上げ手段により支柱体２０の係合及び持ち上げを可能にする。
【００３７】
支柱支持体２１、中間ブレース２３及び支柱持ち上げ係合手段２２は、好ましくは、例えば溶接、ボルト締め、リベット打ちにより、互いに固定される。これにより、型枠支持体１の組み立て、分解、運用の間に外れかねない緩いコンポーネントをなくせるので、支柱体２０の取り扱いの安全性が向上する。
【００３８】
保管に関して図４に示すように、支柱体４は、スペースを大幅に節約するように協働して積み重ねられるようになっている。対照的に、ある従来技術の構造は、保管中に互いに協働することができないため、無駄なスペースが生じ、スペースが浪費される。他の従来技術の構造は、折り畳み可能であり得るが、保管前にこのような構造を折り畳むために追加のステップが必要となる。更に、このような折り畳み可能な構造の組み立ては、建築及び建設作業で安全に使用する前に、展開及び固定のステップが追加されるため、準備及び配備段階で更なる時間が必要となる。
【００３９】
対照的に、各支柱体２０は、開口部２０ａを介して、支柱支持体２１、支柱持ち上げ係合手段２２及び支柱中間ブレース２３によって画定される内部エリアに挿入することができる。ある支柱体２０’の別の支柱体２０”への挿入は、支柱体２０”の開口部２０ａを通る支柱体２０’の横方向の移動による。これは、持ち上げ手段により支柱持ち上げ係合手段２２を介して支柱体２０’に係合し、支柱体２０’を持ち上げて横方向Ｂに作動させることで達成される。支柱体２０の互いに対する位置の調節は、持ち上げ手段により横方向Ｂ’で支柱持ち上げ係合手段２２に係合し、更に横方向Ｂに支柱体２０を作動させることで達成できる。保管時は、隣接する支柱体２０が互いに接触することが好ましく、例えば、隣接する支柱支持体２１が互いに横方向で接触し、隣接する支柱中間ブレース２３及び支柱持ち上げ係合手段２２が互いの上にある。好ましくは、５つ以上の支柱体２０を積み重ねて一緒に保管することができる。
【００４０】
高さ調節機構
高さ調節機構３０は、支柱支持体２１に対応する調節支持体３１を備える。従って、高さ調節機構３０の形状は、好ましくは、支柱体２０の形状に実質的に対応する。好ましくは、４つの調節支持体がある。調節支持体３１は、高さ調節機構３０の高さに関する要求及び用途に応じた任意の長さにすることができる。
【００４１】
調節持ち上げ係合手段３２は、調節支持体３１を互いに接続する。調節持ち上げ係合手段３２は、支柱持ち上げ係合手段２２及びテーブル持ち上げ係合手段１２と同様であり、水平又は略水平である。調節持ち上げ係合手段３２はまた、高さ調節機構３０の長さに実質的に沿って延びる一対の長手方向中空ブレース３２ａと、長手方向中空ブレース３２ａの間に、高さ調節機構３０の幅に実質的に沿って延びる一対の交差中空ブレース３２ｂとを備える。長手方向及び交差中空ブレース３２ａ、３２ｂは、好ましくは互いに対して横方向に配列される。様々な実施形態では、長手方向及び交差中空ブレース３２ａ、３２ｂは別々のコンポーネントであり、例えば、長手方向中空ブレース３２ａは交差中空ブレース３２ｂの上に配置されてもよい。様々な実施形態では、調節持ち上げ係合手段３２は、調節支持体３１を互いに接続する別個の支持ブレース（例えば、トラスフレーム）に取り付けられ、このような支持ブレースは、高さ調節機構３０に更なる剛性及び安定性を提供する。
【００４２】
調節持ち上げ係合手段３２のブレースは、開口部３２ｃを介して、持ち上げ手段、例えばフォークリフトのフォークを受け入れるサイズ及び形状である。長手方向及び交差中空ブレース３２ａ、３２ｂの内部中空部は、相互接続されてもよい。長手方向及び交差中空ブレース３２ａ、３２ｂは、２つの別々の方向、例えば、図５に示すように、長手方向中空ブレース３２ａを介した横方向Ｃと、交差中空ブレース２２ｂを介した横方向Ｃ’で、持ち上げ手段により高さ調節機構３０の係合及び持ち上げを可能にする。
【００４３】
調節支持体３１及び調節持ち上げ係合手段３２は、好ましくは、例えば溶接、ボルト締め、リベット打ちにより、互いに固定される。これにより、型枠支持体１の組み立て、分解、運用の間に外れかねない緩いコンポーネントをなくせるので、高さ調節機構３０の取り扱いの安全性が向上する。
【００４４】
着床脚３３は、調節支持体３１に対して伸縮自在である。着床脚３３は、調節支持体３１内に引き込み及び引き伸ばすことが可能である。着床脚３３の調節支持体の内外への作動は、当該技術分野で知られている様々なアクチュエータによって提供され得る。好ましくは、アクチュエータは、実質的な力を使用することなく、ウインチ３４の回転を介して着床脚３３の高さを調節することができるギア構造である。着床脚３３の伸長及び収縮は、型枠支持体１の高さの調節を可能とし、傾斜又は不均一なフロア面に型枠支持体を適合させる。着床脚３３は、高さ調節機構３０の高さに関する要求及び用途に応じた任意の長さにすることができる。着床脚３３は、着床脚３３が地面に接触する端部に平板を備え、平板は、面接触を増加させ、運用中に型枠支持体１の安定性を改善する。
【００４５】
保管に関して図５に示すように、高さ調節機構３０は、スペースを大幅に節約するように協働して互いの上に積み重ねられるようになっている。ある高さ調節機構３０の上に別のものを配置することは、持ち上げ手段により調節持ち上げ係合手段３２を介して高さ調節機構３０に係合し、高さ調節機構３０を高さ調節機構３０’より高く持ち上げ、高さ調節機構３０’の上に高さ調節機構３０を降ろすことで達成される。高さ調節機構３０の互いに対する調節は、持ち上げ手段により横方向Ｃ及び／又はＣ’で調節持ち上げ係合手段３２に係合することで達成される。保管時は、隣接する高さ調節機構３０が互いに接触し、例えば、隣接する調節支持体３１が互いに横方向で接触し、隣接する調節持ち上げ係合手段３２が互いの上にある。着床脚３３は、保管時は伸長させたままでもよく、収縮させてもよい。
【００４６】
様々な実施形態では、高さ調節機構は、支柱支持体２１から着床脚３３が伸長及び収縮する支柱体２０と一体である。幾つかの実施形態では、支柱持ち上げ係合手段２２又は調節持ち上げ係合手段３２のいずれか一方のみが必要となる。
【００４７】
組み立て及び分解方法
図１及び図２を参照すると、型枠支持体１は、容易に組み立て及び分解することができ、分解後は、型枠支持体１のコンポーネントを容易且つ効率的に保管することができる。
【００４８】
組み立ての前に、型枠テーブル１０が型枠テーブルのスタック（積み重ね）（図３）から取り外され、１つ以上の支柱体２０が支柱体のスタック（図４）から取り外され、高さ調節機構４０が高さ調節機構のスタック（図５）から取り外される。型枠テーブル１０、支柱体２０及び高さ調節機構３０は、フォークリフトなどの持ち上げ手段により、それらの持ち上げ係合手段１２、２２、３２で横方向に係合される。
【００４９】
組み立て中、型枠テーブル１０が、支持体１１、２１を介して支柱体２０の上に配置して係合される。次に、支柱体２０が、支持体２１、３１を介して高さ調節機構３０の上に配置して係合される。型枠テーブル１０、支柱体２０及び高さ調節機構３０の間の係合は、当該技術分野で知られているインターロック、例えばクロスピン、ナット及びボルトによって達成することができる。様々な実施形態では、型枠テーブル１０が支柱体２０の上に配置される前に、支柱体２０を高さ調節機構３０の上に最初に配置することができる。
【００５０】
型枠テーブル１の高さを調節するために、組み立て方法は、例えばウインチ３４の操作による着床脚３３の伸長及び収縮を通じて高さ調節機構３０の高さを調節することを更に含む。
【００５１】
保管のために型枠支持体１を分解するために、型枠テーブル１０、支柱体２０及び高さ調節機構３０が、互いに解除して分離される。このような解除及び分離は、それらの持ち上げ係合手段１２、２２、３２の横方向で係合する持ち上げ手段を介して達成される。
【００５２】
分離後、図３に示すように、型枠テーブル１０が他の型枠テーブル１０に積み重ねられ、テーブル支持体１１が支持体係合部１３に嵌合して静止する。図４に示すように、支柱体２０が開口部２０ａを通じて横方向に作動し、積み重ねのために別の支柱体２０の内部空間に入れられる。図５に示すように、高さ調節機構３０が持ち上げられ、別の高さ調節機構３０の上に置かれる。従って、３つの明確に分離された型枠支持体コンポーネントのスタックとなり、物流効率を改善し、コンポーネント／サブコンポーネントの置き忘れの可能性が減少する。
【００５３】
代替又は代用されない上記の特徴の変形及び結合は、本発明の意図する範囲内に入る更なる追加の実施形態を形成するように結合され得ることを当業者は理解するであろう。特に、
・支持体及びブレースの断面積は、多角形、円形及び三角形を含むが、これらに限定されない任意の形状を含むことができる。
・様々な型枠支持体コンポーネントを形成する材料は、金属、木材及びプラスチック、又はこれらの複合物が含まれるが、これらに限定されない。
・支柱支持体を接続する複数の中間ブレースがあってもよい。
・交差中空ブレースは、長手方向中空ブレースの長さを横切る方向に、長手方向中空ブレースの穴部／開口部に置き換えられもよい。
【図１】
2020509271.tif 000003
【図２】
2020509271.tif 000004
【図３】
2020509271.tif 000005
【図４】
2020509271.tif 000006
【図５】
2020509271.tif 000007
【手続補正書】
【提出日】令和1年11月6日(2019.11.6)
【手続補正１】
【補正対象書類名】特許請求の範囲
【補正対象項目名】全文
【補正方法】変更
【補正の内容】
【特許請求の範囲】
【請求項１】
支柱体であって、
複数のトラスフレームと、
前記支柱体を持ち上げる持ち上げ手段を横方向に受け入れるように適合された支柱持ち上げ係合手段とを備え、
前記複数のトラスフレーム及び前記支柱持ち上げ係合手段は、開口部を画定するように配置され、前記複数のトラスフレームは、前記開口部に対向するトラスフレームを含み、
前記持ち上げ手段は、開口部に隣接して横方向に受け入れられ、前記支持体は、相似の支柱体の前記開口部を介して前記相似の支柱体に横方向に受け入れられるように持ち上げて移動されることを特徴とする支柱体。
【請求項２】
請求項１に記載の支柱体において、
前記複数のトラスフレームは、
第１のトラスフレームが第２のトラスフレームに対向するように配置された、前記第１のトラスフレーム及び前記第２のトラスフレームと、
前記第１及び第２のトラスフレームの間に配置され、これらを接続する第３のトラスフレームとを備え、
前記開口部は、前記第３のトラスフレームに対向するように配置されていることを特徴とする支柱体。
【請求項３】
請求項２に記載の支柱体において、
前記第３のトラスフレームは、前記第１及び第２のトラスフレームをそれらの一方の端部を介して接続するように適合されていることを特徴とする支柱体。
【請求項４】
請求項２又は請求項３に記載の支柱体において、
前記第１及び第２のトラスフレームは、前記第３のトラスフレームに向かってテーパ状になっていることを特徴とする支柱体。
【請求項５】
請求項４に記載の支柱体において、
前記第１及び第２のトラスフレームの各々は、２つの垂直支持体と、前記２つの垂直支持体を接続するように適合された少なくとも１つのブレースとを備えていることを特徴とする支柱体。
【請求項６】
請求項５に記載の支柱体において、
前記少なくとも１つのブレースは、一方の垂直支持体の外側部分に接続するように適合されると共に、他方の垂直支持体の内側部分に接続するように適合されていることを特徴とする支柱体。
【請求項７】
請求項２に記載の支柱体において、
前記第１、第２及び第３のトラスフレームをそれらのベース部を介して接続するように適合された第４のトラスフレームを更に備えていることを特徴とする支柱体。
【請求項８】
請求項７に記載の支柱体において、
前記第４のトラスフレームは、前記第３のトラスフレームから前記開口部に向かって延びる一対のブレースを備えていることを特徴とする支柱体。
【請求項９】
請求項８に記載の支柱体において、
前記一対のブレースは、前記支柱体を持ち上げる持ち上げ手段を、第１の方向を通じて横方向に受け入れるように適合された第１の持ち上げ係合手段を備えていることを特徴とする支柱体。
【請求項１０】
請求項９に記載の支柱体において、
前記一対のブレースは、前記支柱体を持ち上げる持ち上げ手段を、第２の方向を通じて横方向に受け入れるように適合された第２の持ち上げ係合手段を備えていることを特徴とする支柱体。
【請求項１１】
請求項９又は請求項１０に記載の支柱体において、
前記第１及び／又は第２の持ち上げ係合手段は、前記一対のブレースと一体であることを特徴とする支柱体。
【請求項１２】
請求項１に記載の支柱体において、
前記支柱体は、高さ調節機構を取り外し可能に連結させることができ、
前記高さ調節機構は、前記支柱のベース部にあり、
前記高さ調節機構は、高さ調節可能な着床脚を備えていることを特徴とする支柱体。
【請求項１３】
請求項７に記載の支柱体において、
前記支柱体は、運用中に前記開口部を閉じるように適合された第５のトラスフレームを更に備えていることを特徴とする支柱体。
【請求項１４】
請求項１に記載の支柱体において、
前記開口部に対向するトラスフレームは、前記支柱体が前記相似の支柱体によって横方向に完全に受け入れられた後、前記相似の支柱体の前記開口部に対向するトラスフレームに当接させることが可能であることを特徴とする支柱体。
【請求項１５】
支柱体を備えた型枠支持体であって、
前記支柱体は、開口部を画定するように配置された複数のトラスフレームを備え、
前記支柱体は、前記開口部を介して別の支柱体を横方向に受け入れるように調整されていることを特徴とする型枠支持体。
【国際調査報告】
2020509271.tif 000008
2020509271.tif 000009
2020509271.tif 000010
2020509271.tif 000011
2020509271.tif 000012